【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
青色の光ビームを出射する青色レーザー光源と、
赤色の光ビームを出射する赤色レーザー光源と、
赤外の光ビームを出射する赤外レーザー光源と、
光ビームを受けて光ディスクの記録面上へ微小スポットに集光する対物レンズとを具備し、
前記微小スポットの球面収差を制御する球面収差補正素子を前記青色の光ビームと前記赤色の光ビームの共通の光路内に具備し、
前記青色の光ビームを厚さｔ１の透明基材を有する第１の光情報媒体の記録面上に前記厚さｔ１の透明基材を通して集光し、
前記赤色の光ビームを厚さｔ２の透明基材を有する第２の光情報媒体の記録面上に前記厚さｔ２の透明基材を通して集光し、
前記赤外の光ビームを厚さｔ３の透明基材を有する第３の光情報媒体の記録面上に前記厚さｔ３の透明基材を通して集光し、
ｔ３はｔ２とｔ１のいずれよりも厚く、
前記青色の光ビームと前記赤色の光ビームを集光した微小スポットの球面収差を前記球面収差補正素子によって制御することを特徴とする光ヘッド装置。
【請求項２】
前記対物レンズと前記青色レーザー光源との間に、ホログラムを具備し、前記ホログラムの少なくとも一部領域内にある格子断面形状は鋸歯状断面形状であって、前記鋸歯状断面形状の深さはｈ１であって、前記ｈ１は、波長λ１が３９０ｎｍ〜４１５ｎｍの青色の光ビームに対して約２波長の光路差を与える深さであり、前記ホログラムによって凸レンズ作用を受けるように、前記ホログラムを凸レンズ型にすることによって波長λ１が、数ｎｍ程度変化した場合の焦点距離変化を低減することを特徴とする請求項１に記載の光ヘッド装置。
【請求項３】
前記赤外レーザー光源と前記対物レンズとの間にはリレーレンズを配置し、
前記赤外レーザー光源から出射される前記赤外の光ビームは前記リレーレンズによって略収束された後に再度拡散しながら前記対物レンズに入射し、前記対物レンズによって約１．２ｍｍの透明基材を通して光ディスクの記録面上へ微小スポットに集光することを特徴とする請求項１又は２に記載の光ヘッド装置。
【請求項４】
前記リレーレンズは光軸から離れた外周部に球面収差を付加して構成し、前記球面収差によって、軸外収差を補正する請求項３に記載の光ヘッド装置。
【請求項５】
前記リレーレンズと前記赤外の光ビームの発光点との間の距離よりも、前記リレーレンズと前記赤外の光ビームの発光点とは反対側の収束点との間の距離の方が短い請求項３に記載の光ヘッド装置。
【請求項６】
前記リレーレンズと前記対物レンズとの間に、前記赤外の光ビームと、より短波長の光ビームとを分離するダイクロイック素子をさらに具備する請求項３に記載の光ヘッド装置。
【請求項７】
前記リレーレンズと前記対物レンズとの間に配置する前記ダイクロイック素子に設けられた平行平板の表面には、前記赤外の光ビームと、より短波長の光ビームとを分離するダイクロイック膜が形成されている請求項６に記載の光ヘッド装置。
【請求項８】
前記平行平板の厚みは、１ｍｍ以下である請求項７に記載の光ヘッド装置。
【請求項９】
前記ダイクロイック素子は、前記青色の光ビームが略平行光束となる位置に配置される請求項６に記載の光ヘッド装置。
【請求項１０】
前記青色の光ビームを基材厚が０．１ｍｍ以下（ｔ１）の透明基材を通して集光する場合に、前記ホログラムによって凸レンズ作用を受けるように、前記ホログラムを凸レンズ型にすることによって、前記波長λ１が数ｎｍ程度変化した場合の焦点距離の変化を低減する請求項２に記載の光ヘッド装置。
【請求項１１】
前記青色の光ビームの＋２次回折光は、基材厚がｔ１の透明基材を通して集光され、前記ホログラムの内周部分を通る前記赤色の光ビームの＋１次回折光は、基材厚がｔ２の透明基材を通して集光され、ｔ１＜ｔ２である請求項１０に記載の光ヘッド装置。
【請求項１２】
前記ホログラムの外周部分を通る前記赤色の光ビームの＋１次回折光は、基材厚がｔ２の透明基材を通ったときに収差を持ち、集光されない請求項１１に記載の光ヘッド装置。
【請求項１３】
前記青色の光ビームを基材厚がｔ１の透明基材を通して集光する場合に、
前記ホログラムの内周部分を通る前記赤色の光ビームを基材厚がｔ２の透明基材を通して集光する場合に比べて、前記ホログラムによる凸レンズ作用を大きくする、あるいは、
前記青色の光ビームを基材厚がｔ１の透明基材を通して集光する場合よりも、前記ホログラムの内周部分を通る前記赤色の光ビームを基材厚がｔ２の透明基材を通して集光する場合の前記ホログラムによる凸レンズ作用を小さくすることにより、光ディスク側の焦点位置を複合対物レンズから離し、
ｔ１＜ｔ２である請求項１１に記載の光ヘッド装置。
【請求項１４】
前記赤色の光ビームを基材厚ｔ２の透明基材を通して光ディスクの記録面上へ集光する際には、前記赤色レーザー光源から出射した前記赤色の光ビームを略平行光にするコリメートレンズを前記赤色レーザー光源側に近づけて、やや拡散光にして前記対物レンズに入射させることにより、前記光ディスク側の焦点位置を複合対物レンズから離す請求項１１に記載の光ヘッド装置。
【請求項１５】
前記青色の光ビームの波長の５倍であって、前記赤色の光ビームの波長の３倍の光路長差を生じる段差が形成された位相段差をさらに具備する請求項１１に記載の光ヘッド装置。
【請求項１６】
前記ホログラムと前記対物レンズとを一体固定する請求項１０に記載の光ヘッド装置。
【請求項１７】
前記ホログラムを前記対物レンズの表面に一体形成する請求項１０に記載の光ヘッド装置。
【請求項１８】
請求項1〜１７のいずれかに記載の光ヘッド装置と、
光ディスクを回転するモーターとを具備する光情報装置。
【請求項１９】
前記光ディスクの種類を判別して、基材厚が０．６ｍｍの光ディスクに対してはコリメートレンズを赤色レーザー光源側に移動することを特徴とする請求項１８に記載の光情報装置。
【請求項２０】
請求項１８又は１９に記載の光情報装置と、
情報を入力するための入力装置あるいは入力端子と、
前記入力装置から入力された情報や前記光情報装置から再生された情報に基づいて演算を行う演算装置と、
前記入力装置から入力された情報や前記光情報装置から再生された情報や、前記演算装置によって演算された結果を表示あるいは出力するための出力装置あるいは出力端子とを備えたコンピュータ。
【請求項２１】
請求項１８又は１９に記載の光情報装置と、
前記光情報装置から得られる情報信号を画像に変換する情報から画像へのデコーダーとを有する光ディスクプレーヤー。
【請求項２２】
請求項１８又は１９に記載の光情報装置と、
前記光情報装置から得られる情報信号を画像に変換する情報から画像へのデコーダーとを有するカーナビゲーションシステム。
【請求項２３】
請求項１８又は１９に記載の光情報装置と、
画像情報を前記光情報装置によって記録する情報に変換する画像から情報へのエンコーダーとを有する光ディスクレコーダー。
【請求項２４】
請求項１８又は１９に記載の光情報装置と、
外部との情報のやりとりを行う入出力端子とを備えた光ディスクサーバー。
【手続補正２】
【補正対象書類名】明細書
【補正対象項目名】００４５
【補正方法】変更
【補正の内容】
【００４５】
前記ホログラムを前記対物レンズの表面に一体形成することが好ましい。
また、本発明に係る光ヘッド装置は、青色の光ビームを出射する青色レーザー光源と、赤色の光ビームを出射する赤色レーザー光源と、赤外の光ビームを出射する赤外レーザー光源と、光ビームを受けて光ディスクの記録面上へ微小スポットに集光する対物レンズとを具備し、前記微小スポットの球面収差を制御する球面収差補正素子を前記青色の光ビームと前記赤色の光ビームの共通の光路内に具備し、前記青色の光ビームを厚さｔ１の透明基材を有する第１の光情報媒体の記録面上に前記厚さｔ１の透明基材を通して集光し、前記赤色の光ビームを厚さｔ２の透明基材を有する第２の光情報媒体の記録面上に前記厚さｔ２の透明基材を通して集光し、前記赤外の光ビームを厚さｔ３の透明基材を有する第３の光情報媒体の記録面上に前記厚さｔ３の透明基材を通して集光し、ｔ３はｔ２とｔ１のいずれよりも厚く、前記青色の光ビームと前記赤色の光ビームを集光した微小スポットの球面収差を前記球面収差補正素子によって制御することを特徴とする。
また、前記本発明の光ヘッド装置においては、前記対物レンズと前記青色レーザー光源との間に、ホログラムを具備し、前記ホログラムの少なくとも一部領域内にある格子断面形状は鋸歯状断面形状であって、前記鋸歯状断面形状の深さはｈ１であって、前記ｈ１は、波長λ１が３９０ｎｍ〜４１５ｎｍの青色の光ビームに対して約２波長の光路差を与える深さであり、前記ホログラムによって凸レンズ作用を受けるように、前記ホログラムを凸レンズ型にすることによって波長λ１が、数ｎｍ程度変化した場合の焦点距離変化を低減することが好ましい。